(57)【要約】【課題】長時間撮影等を行うときにも疲れにくくすると共に、操作者の体型に合うように容易に調整を行うことができる使い勝手の良い光学装置の支持装置を提供する。【解決手段】一端部側にビデオカメラ１の取付部が設けられた取付用本体部１１と、取付用本体部１１の一端部側に、取付用本体部１１に対して回動可能に設けられる胸当て用本体部５１と、取付用本体部１１に対して引き出し可能な第１のアーム１５を介して設けられる肩掛けパッド部４１とを備える。ビデオカメラ１がカメラ固定部１４に取り付けられた状態で、取付用本体部１１から肩掛けパッド部４１に亘る部分を肩に載せ、胸当て用本体部５１を、取付用本体部１１に対して鋭角とし、胸に突っ張らせて使用できる。また、取付用本体部１１に対して引き出される第１のアーム１５の最大の引き出し量を規定するプリセット機構２１が設けられている。【選択図】図２
2011107398.tif 000002
【特許請求の範囲】
【請求項１】
一端部側に光学装置の取付部が設けられた取付用本体部と、
上記取付用本体部の上記一端部側に、上記取付用本体部に対して回動可能に設けられる胸当て用本体部と、
上記取付用本体部に対して引き出し可能な第１のアームを介して設けられる肩掛けパッド部とを備え、
上記光学装置が上記取付部に取り付けられた状態で、上記取付用本体部から上記肩掛けパッド部に亘る部分を肩に載せ、上記胸当て用本体部を、上記取付用本体部に対して鋭角にし、胸に突っ張らせて使用可能な光学装置の支持装置。
【請求項２】
更に、上記取付用本体部に対して引き出される上記第１のアームの引き出し量を規定するプリセット機構を備え、
上記プリセット機構は、上記第１のアームの引き出し方向に移動可能で、所定位置で固定されるプリセット部材を有し、
上記プリセット部材は、上記第１のアームのストッパが突き当たって上記第１のアームの最大引き出し量を規定する請求項１記載の光学装置の支持装置。
【請求項３】
上記取付用本体部は、上記プリセット機構によって上記第１のアームの最大引き出し量が規定された中で、上記アームの引き出し量を規定する第１の調整機構を備える請求項２記載の光学装置の支持装置。
【請求項４】
上記取付用本体部には、上記光学装置が一方に傾くように取り付けられる請求項３記載の光学装置の支持装置。
【請求項５】
上記第１のアームは、１本の棒状部材である請求項３記載の光学装置の支持装置。
【請求項６】
上記胸当て用本体部には、チェストパッド部が第２のアームを介して引き出し可能に設けられている請求項３記載の光学装置の支持装置。
【請求項７】
上記第２のアーム部は、引き出し量が第２の調整機構によって規定される請求項６記載の光学装置の支持装置。
【発明の詳細な説明】
【技術分野】
【０００１】
本発明は、ビデオカメラ等の光学装置を肩に担ぐ際に、光学装置を支持する支持装置に関する。
【背景技術】
【０００２】
特許文献１には、ビデオカメラの支持装置が記載されている。この支持装置は、シャフトの一端部に、ビデオカメラを取り付け、他端部に、バッテリパックを取り付けるようになっている。そして、シャフトの中程には、胸当てが設けられている。また、シャフトの他端部は、下側、すなわち操作者の背中側に折れ曲がっている。この支持装置では、シャフトを操作者の肩に載せ、胸当てを操作者の胸に当接させ、折れ曲がったシャフトの他端部を操作者の背中に当接させることで、操作者の体が挟み込まれるようにしている。したがって、この支持装置では、肩に担いだ際に、ビデオカメラがふらつくことなく安定した状態で撮影を行うことができる。また、この支持装置では、撮影時、操作者の前方に重いビデオカメラが位置し、後方にバッテリパックが位置する。したがって、操作者が支持装置を肩に担いだ際には、操作者の前方と後方とで、重量バランスが良くなり、ビデオカメラの向き等を変える操作を容易に行うことができる。
【０００３】
しかしながら、特許文献１で示す支持装置は、ビデオカメラとバッテリパックの重量を加えたほぼ全体の荷重が操作者の肩に集中して加わることになる。したがって、操作者としては、長時間担いでいると、肩が疲労してしまう。すなわち、特許文献１の支持装置は、長時間撮影に不向きである。
【０００４】
また、一般に、ビデオカメラの支持装置は、多数の者が使用する。体型は、人それぞれであり、したがって、自分が主として使用する支持装置であっても、他人がこの支持装置を使用するときには、改めて自分の体型に合うように、胸当てやシャフトの長さ等を調整する必要がある。他人が使用した後に自分が使用する際には、改めて自分の体型に合うように胸当てやシャフトの長さ等を調整する必要がある。どのような支持装置であっても、多数の者が使用することを前提としたとき、その調整を容易に行うことができるようにすることが好ましい。
【０００５】
また、ビデオカメラには、レンズ部が設けられたカメラ本体の前面と反対側の背面に、レンズ部の光軸と一致させるようにしてビューファインダが設けられたものがある。この種のビデオカメラを特許文献１の支持装置に取り付けた際には、操作者の目（ビューファインダを覗くビデオカメラ側の目）とカメラ本体の背面のビューファインダとが近接することから、それほど撮影に不便になることはない。
【０００６】
しかしながら、ビデオカメラには、カメラ本体の一方の側面から張り出しながらカメラ本体の背面側に延在するようにビューファインダが設けられたものもある。この種のビデオカメラでは、ビューファインダが操作者側の側面に設けられるもが一般的である。このようなビデオカメラを特許文献１の支持装置に取り付けた際には、使用時、操作者のビデオカメラ側の目（ビューファインダを覗く目）とは反対側の目の方にビューファインダが位置してしまい、撮影が行いにくくなってしまう。
【先行技術文献】
【特許文献】
【０００７】
【特許文献１】米国特許第７，３１８，６７８号明細書
【発明の概要】
【発明が解決しようとする課題】
【０００８】
本発明は、以上のような課題に鑑みてなされたものであり、長時間撮影等を行うときにも疲れにくくすることができる光学の支持装置を提供することを目的とする。
【０００９】
また、本発明は、操作者の体型に合うように容易に調整を行うことができる使い勝手の良い光学装置の支持装置を提供することを目的とする。
【課題を解決するための手段】
【００１０】
本発明に係る光学装置の支持装置は、一端部側に光学装置の取付部が設けられた取付用本体部と、上記取付用本体部の上記一端部側に、上記取付用本体部に対して回動可能に設けられる胸当て用本体部と、上記取付用本体部に対して引き出し可能な第１のアームを介して設けられる肩掛けパッド部とを備える。上記支持装置は、上記光学装置が上記取付部に取り付けられた状態で、上記取付用本体部から上記肩掛けパッド部に亘る部分を肩に載せ、上記胸当て用本体部を、上記取付用本体部に対して鋭角にし、胸に突っ張らせて使用できる。
【００１１】
なお、上記支持装置は、上記取付用本体部に対して引き出される上記第１のアームの引き出し量を規定するプリセット機構を備えるようにしても良い。この場合の上記プリセット機構は、上記第１のアームの引き出し方向に移動可能で、所定位置で固定されるプリセット部材を有する。上記プリセット部材は、上記第１のアームのストッパが突き当たって上記第１のアームの最大引き出し量を規定する。
【発明の効果】
【００１２】
本発明によれば、光学装置が上記固定部に取り付けられた状態で、取付用本体部から肩掛けパッド部に亘る部分を肩に載せ、胸当て用本体部を、取付用本体部に対して鋭角にし、胸に突っ張らせて使用できる。すなわち、ビデオカメラと支持装置の荷重は、胸当て用本体部により操作者の肩だけでなく、胸にも分散される。したがって、長時間撮影等を行うときにも、肩が疲れにくくすることができる。
【図面の簡単な説明】
【００１３】
【図１】本発明が適用されたビデオカメラの支持装置の使用状態を示す斜視図である。
【図２】上記支持装置を前面側から見た斜視図である。
【図３】支持装置を折り畳んだ状態を上側から見た斜視図である。
【図４】支持装置を折り畳んだ状態を下側から見た斜視図である。
【図５】取付用本体部をビデオカメラの取付側となる上側から見た斜視図である。
【図６】取付用本体部を下側から見た斜視図である。
【図７】取付用本体部の内部構成を示す斜視図である。
【図８】第１のアームの引き出し量を規定するプリセット機構の斜視図である。
【図９】上記プリセット機構の斜視図であり、第１のアームが最大に引き出された状態を示す。
【図１０】上記プリセット機構の斜視図である。
【図１１】第１の調整機構の分解斜視図である。
【図１２】胸当て用本体部を上側から見た斜視図である。
【図１３】胸当て用本体部の内部構成を示す斜視図である。
【図１４】第２の調整機構の斜視図である。
【図１５】取付用本体部から胸当て用本体部を開く状態を示す斜視図である。
【図１６】取付用本体部にビデオカメラを取り付ける状態を示す斜視図である。
【図１７】チェストパッド部の長さ調整をする状態を示す斜視図である。
【図１８】第１の調整機構で第１のアームの長さを調整する状態を示す斜視図である。
【図１９】プリセット機構で第１のアームの最大の引き出し量を調整する状態を示す斜視図である。
【図２０】ビデオカメラが固定された支持装置を三脚に取り付けた状態を示す斜視図である。
【図２１】ビデオカメラが固定された支持装置を肩に担いだときの操作者の頭部とビューファインダとの関係を示す図である。（Ａ）は、本発明の第１のアームが２本の参考例を示す。（Ｂ）は、本発明の取付用本体部のカメラ取付部が肩掛け部に対して傾いていない参考例を示す。（Ｃ）は、第１のアームが１本で取付用本体部のカメラ取付部が肩掛け部に対して傾いた本発明を示す。
【発明を実施するための形態】
【００１４】
以下、本発明に係る電子機器が適用されたビデオカメラ１の支持装置１０について図面を参照して説明する。ディジタルスチルカメラ１について図面を参照して説明する。なお、発明を実施するための形態の欄では、本発明の適用例を、以下の順に従って説明する。
【００１５】
（１）ビデオカメラの支持装置の概要説明
（２）取付用本体部の説明
（２−１）取付用本体部の構成
（２−２）プリセット機構の説明
（２−３）第１の調整機構の説明
（２−４）肩掛けパッドの説明
（３）胸当て用本体部の説明
（３−１）胸当て用本体部の構成
（３−２）ロック機構の説明
（３−３）第２の調整機構の説明
（３−４）チェストパッドの説明
（４）支持装置の使用方法及び効果
（５）変形例
【００１６】
(１)ビデオカメラの支持装置の概要説明
図１に示すように、本発明が適用された支持装置１０は、ビデオカメラ１が取り付けられる取付用本体部１１と、この取付用本体部１１に対して回動可能な胸当て用本体部５１とを備える。また、取付用本体部１１には、肩掛けパッド４１が設けられている。図１に示すように、取付用本体部１１には、ビデオカメラ１が取り付けられる。
【００１７】
ここで用いられるビデオカメラ１は、例えば高機能のＨＤ（High Definition）用ディジタルビデオカメラであって、掌サイズの小型のビデオカメラより大型で重い機器となっている。このビデオカメラ１は、記録再生回路、記憶部、制御回路等を構成する多数の電子部品が内蔵されたカメラ本体部２の前面にレンズ部３が設けられている。また、カメラ本体部２の背面には、レンズ部３と光軸を一致させるようにしてビューファインダ４が設けられている。ビデオカメラ１は、カメラ本体部２の底面に、三脚を取り付けるための取付部となるシューが設けられている。この三脚を取り付けるためのシューは、位置決めのボスが係合するボス穴と、三脚側の取付ネジが締め付けられるねじ穴がボス穴の両側に設けられている。
【００１８】
図１及び図２に示すように、支持装置１０の取付用本体部１１には、背面側に、肩掛けパッド部４１が設けられている。肩掛けパッド部４１は、取付用本体部１１に対して伸縮可能であり（図２中矢印Ａ方向）、操作者は、自分の体型に合わせて引き出し量を調整することができる。取付用本体部１１から肩掛けパッド部４１に亘る部分は、操作者の肩に担がれる部分となる。
【００１９】
この取付用本体部１１には、ビデオカメラ１が取り付けられる前面側に、胸当て用本体部５１が回動可能に取り付けられている（図２中矢印Ｂ方向）。胸当て用本体部５１は、取付用本体部１１に対して略９０°の範囲で回動可能である。図１に示すように、支持装置１０の使用時において、胸当て用本体部５１は、取付用本体部１１に対して鋭角をなし、操作者の胸にあてがわれる。胸当て用本体部５１は、操作者の胸で突っ張るようにして、ビデオカメラ１を支えることになる。この支持装置１０では、ビデオカメラ１の重さを、取付用本体部１１から肩掛けパッド部４１に亘る部分が当てられた操作者の肩だけでなく、胸当て用本体部５１を介して操作者の胸でも支えるようにしている。これにより、支持装置１０は、ビデオカメラ１の荷重を分散して、操作者の肩への負担を軽減する。したがって、操作者は、ビデオカメラ１を、支持装置１０を用いて担いでも、肩が疲労することが無くなり、長時間撮影も楽に行うことができる。また、支持装置１０は、胸当て用本体部５１と肩掛けパッド部４１とで、操作者の胸を肩側から挟み込むことができ、ビデオカメラ１がふらつくことなく安定した状態で撮影を行うことができるようにする。
【００２０】
図３及び図４に示すように、支持装置１０は、胸当て用本体部５１は、折り畳むことも可能であり、折り畳んだときには、取付用本体部１１と胸当て用本体部５１とが互いに近接して平行な状態となる。これにより、支持装置１０は、非使用時に、持ち運びが便利となる。
【００２１】
なお、詳細は後述するが、この支持装置１０は、ビデオカメラ１が取付用本体部１１に固定された状態で、図３及び図４に示す取付用本体部１１と胸当て用本体部５１とを折り畳むことも可能である（図２０参照）。ビデオカメラ１を取り付けた状態で取付用本体部１１と胸当て用本体部５１とが折り畳まれた支持装置１０は、更に、三脚に取り付けることもできる。
【００２２】
（２）取付用本体部の説明
（２−１）取付用本体部の構成
図５乃至図７に示すように、ビデオカメラ１が取り付けられる取付用本体部１１は、操作者の肩に当接する肩掛け部１２と、ビデオカメラ１が取り付けられるカメラ取付部１３とを備える。肩掛け部１２と肩掛け部１３とは、く字状に折れ曲がって一体的に形成されている。カメラ取付部１３は、全体が略矩形箱状に形成され、肩掛け部１２は、カメラ取付部１３より細長の略矩形箱状に形成されている。カメラ取付部１３は、肩掛け部１２の長手方向中心線Ｐに対して傾くように（図５中矢印Ｄ方向に傾くように）折れ曲がって形成されている。ここで、カメラ取付部１３の傾き方向は、支持装置１０の使用時において、操作者より離れる外側に開く図５中Ｄ方向に傾いて形成されている。
【００２３】
これにより、ビデオカメラ１がカメラ取付部１２に取り付けられた際に、ビューファインダ４の端部（覗く部分）が、より操作者のビデオカメラ１側の目（ビューファインダを覗く目）と近接させることができ、使い勝手の向上を図ることができる。また、ビデオカメラには、ビデオカメラ１と異なり、カメラ本体部の一方の側面から張り出しながらカメラ本体部の背面側に延在するようにビューファインダが設けられたものがある。このようなビデオカメラは、支持装置１０を使用しないで肩に担いだとき、ビューファインダが操作者のビデオカメラ側の目に近接する。この支持装置１０では、カメラ取付部１３が、肩掛け部１２の長手方向中心線Ｐに対して図５中矢印Ｄ方向に傾くように折れ曲がって形成されている。したがって、使用時において、操作者のビデオカメラ１側の目とは反対側の目の方にビューファインダが位置してしまい、使い勝手が悪くなることを防止することができる。
【００２４】
なお、カメラ取付部１３の傾き方向は、支持装置１０が右肩用であるか左肩用であるかによって決定されるものであり、したがって、図５中反矢印Ｄ方向であっても良い。
【００２５】
また、図３及び図５に示すように、取付用本体部１１には、ビデオカメラ１が取り付けられる側の上面に、カメラ固定部１４が形成されている。カメラ固定部１４は、コイルバネ等の弾性部材によって、外側に突出するように付勢された位置決め用のボス１４ａと、位置決め用のボス１４ａの両側に形成された取付ネジ１４ｂとを有している。位置決め用のボス１４ａは、ビデオカメラ１のカメラ本体部２の底面に設けられたシューのボス穴に係合し、取付ネジ１４ｂは、シューのねじ穴に締め付けられる。かくして、ビデオカメラ１は、カメラ固定部１４に固定される。
【００２６】
（２−２）プリセット機構の説明
図７に示すように、取付用本体部１１の肩掛け部１２には、肩掛けパッド部４１が取り付けられる第１のアーム１５が引き出し可能（図７中矢印Ａ方向）に収納される。更に、肩掛け部１２には、この第１のアーム１５の肩掛け部１２からの最大引き出し量を規定するプリセット機構２１が設けられている。
【００２７】
第１のアーム１５は、断面が略矩形の真っ直ぐな棒状部材であって、例えば、金属で形成されている。この第１のアーム１５は、ここでは、１本とし、本数を減らし、ユーザがビデオカメラ１を水平（パン）方向に回動操作し易くしている。この第１のアーム１５は、取付用本体部１１の肩掛け部１２の背面側にあるガイド部材１６によって引き出し時のスライドがガイドされる。ガイド部材１６は、第１のアーム１５のスライド方向に一又は複数のガイド孔３７（図１１参照）が形成され、この一又は複数のガイド孔３７に挿入されることによって、直線的にスライドする。ガイド部材１６は、取付用本体部１１の外筐を構成するモールド部品に、例えば複数のネジ１６ａ（図１１参照）によって固定される。また、肩掛け部１２内には、ガイド壁１７が第１のアーム１５の移動範囲に応じて形成されている。第１のアーム１５は、ガイド部材１６にガイドされつつ、ガイド壁１７によってもスライドがガイドされる。
【００２８】
図７−図１０に示すように、第１のアーム１５の肩掛け部１２からの最大引き出し量を規定するプリセット機構２１は、プリセット部材２２を有する。プリセット部材２２は、図１０に示すように、第１のアーム１５のスライド方向と同方向のスライドをガイドするガイド溝２３と、第１のアーム１５上に延在し、第１のアーム１５の最大引き出し量を規定する規定部２４とを有する。更に、プリセット部材２２は、スライド自在のプリセット部材２２の位置を固定するプリセットネジ２８が締め付けられるねじ穴２５とを有する。
【００２９】
ガイド溝２３は、ガイド壁１７に平行に形成されたガイド片２６に係合する。ガイド片２６は、第１のアーム１５及びプリセット部材２２の幅分、ガイド壁１７と離間して形成されており、プリセット部材２２のガイド溝２３が係合する。すなわち、プリセット部材２２は、第１のアーム１５に平行に並ぶように配設される。
【００３０】
プリセット部材２２の規定部２４は、ガイド片２６にガイド溝２３を係合してプリセット部材２２を配設したとき、第１のアーム１５上に延在する。第１のアーム１５の基端部には、ストッパ２７が張り出して形成されている。規定部２４は、一側縁が第１のアーム１５のストッパ２７に係合することによって、プリセット部材２２が固定された際に、第１のアーム１５の最大引き出し量を規定する。
【００３１】
ねじ穴２５は、プリセット部材２２を所定位置に固定する固定部材となるプリセットネジ２８が締め付けられる。プリセットネジ２８は、ねじ頭２８ａが、取付用本体部１１の肩掛け部１２の操作者の肩側となる下面に形成された直線状の貫通した操作溝２９より外部に臨まされている。操作溝２９の両側には、プリセットネジ２８の締め付け時にねじ頭２８ａによって又はワッシャを介して押圧される被押圧部２９ａが内側に張り出すように形成されている。
【００３２】
なお、操作溝２９は、プリセットネジ２８が各端部に突き当たることで、プリセット部材２２の移動範囲を規制している。また、操作溝２９及び被押圧部２９ａは、周囲より一段低く形成され、ねじ頭２８ａが操作者の肩に当たらないようにしている。
【００３３】
プリセット部材２２は、ガイド片２６に沿って所定位置にスライドされ、所定位置において、プリセットネジ２８が締め付けられると、ねじ頭２８ａが被押圧部２９ａに圧接され、所定位置に固定される。すると、第１のアーム１５は、図９に示すように、第１のアーム１５上に延在した規定部２４に、第１のアーム１５のストッパ２７が突き当たるまでスライド可能となる。第１のアーム１５の最大引き出し量は、第１のアーム１５のストッパ２７が所定位置に固定されたプリセット部材２２の規定部２４に突き当たるまでの長さとなる。そして、第１のアーム１５は、ストッパ２７が規定部２４に突き当たるまでの間で、取付用本体部１１の肩掛け部１２からの引き出し量が調整可能となる。
【００３４】
図８に示す状態は、プリセット部材２２が最もカメラ取付部１３側に移動した状態で、第１のアーム１５が収納された状態を示している。図９に示す状態は、プリセット部材２２が図８に示す位置にあるとき、第１のアーム１５が規定部２４にストッパ２７が係合するまで、すなわち最大に引き出された状態を示している。プリセット部材２２が図８及び図９に示す位置にあるとき、第１のアーム１５の最大引き出し量は、最も短くなる。これとは逆に、プリセット部材２２の位置を図８及び図９とは反対側に移動させたときには、規定部２４とストッパ２７とが係合するまでの長さが長くなり、第１のアーム１５の最大引き出し量は、最も長くなる。
【００３５】
なお、以上の例では、プリセット部材２２にガイド溝２３を設け、肩掛け部１２の外筐側にガイド片２６を設けた例を説明したが、本発明では、プリセット部材２２にガイド片２６を設け、肩掛け部１２の外筐側にガイド溝２３を設けても良い。また、プリセット部材２２にねじ部を突設し、操作溝２９より外部に臨むねじ部にナットを締め付けることによって、プリセット部材２２を所定位置に固定するようにしても良い。また、第１のアーム１５のストッパ２７は、基端部以外の場所に設けても良い。
【００３６】
（２−３）第１の調整機構の説明
以上のようなプリセット機構２１によって、第１のアーム１５は、基端部のストッパ２７が所定位置に固定されたプリセット部材２２の規定部２４に突き当たるまで引き出し可能である。したがって、プリセット機構２１では、ストッパ２７が規定部２４に突き当たった状態の第１のアーム１５の引き出し長さを調整することができる。この支持装置１０では、更に、第１の調整機構３１を設けて、第１のアーム１５の最大引き出し量の中で、更に第１のアーム１５の引き出し量を所定量に規定するようにし、使い勝手の向上を図っている。
【００３７】
最大引き出し量が規定された中での第１のアーム１５の引き出し量を規定する第１の調整機構３１は、図１１に示すように、第１のアーム１５の引き出し口の近傍の取付用本体部１１の肩掛け部１２の側面部に設けられている。この第１の調整機構３１は、肩掛け部１２の側面部に取り付けられる操作部材３２と、第１のアーム１５の引き出し位置をロックするロック部材３３とを有する。操作部材３２は、肩掛け部１２の側面部に形成された操作孔３４より外部に臨まされ、操作孔３４近傍に設けられた支軸３５に図１１中矢印Ｅ方向及び反矢印Ｅ方向に回動可能に支持されている。この操作部材３２の内側の面には、支軸３５に近接する位置に押圧部３６が突出して形成されている。この押圧部３６は、ロック部材３３を押圧する。
【００３８】
ロック部材３３は、上述したガイド部材１６に図１１中矢印Ｆ方向及び反矢印Ｆ方向に回動自在に取り付けられる。具体的に、ガイド部材１６には、ガイド孔３７に挿通された第１のアーム１５を外部に臨ませる切欠部３７ａが形成されている。ロック部材３３は、ガイド部材１６に形成された軸穴３３ａに軸部３３ｂを係合させることによって、圧接部３３ｃとなっている先端部が切欠部３７ａより外部に臨まされている第１のアーム１５に近接離間する方向に回動可能となっている。ロック部材３３の圧接部３３ｃは、操作部材３２の押圧部３６に押圧されることによって、切欠部３７ａより外部に臨む第１のアーム１５に圧接され、第１のアーム１５の位置をロックする。
【００３９】
すなわち、操作部材３２を図１１中矢印Ｅ方向に回動し開いたときには、押圧部３６がロック部材３３の圧接部３３ｃから離間し押圧が解除され、ロック部材３３が図１１中矢印Ｆ方向及び反矢印Ｆ方向に回動自在となる。これにより、第１のアーム１５は、プリセット部材２２によって最大引き出し量が決められた中で自由に図１１中矢印Ａ方向にスライドする。操作部材３２を図１１中反矢印Ｅ方向に回動し閉じたときには、押圧部３６が図１１中矢印Ｆ方向に回動しロック部材３３の圧接部３３ｃを押圧し、ロック部材３３の圧接部３３ｃが、切欠部３７ａより外部に臨む第１のアーム１５に圧接する。これにより、第１のアーム１５は、スライド不能となり、所定の引き出し量にロックすることができる。
【００４０】
なお、第１のアーム１５をガイドするガイド壁１７の終端には、図８及び図９に示すように、第１のアーム１５を収納した状態に保持する板バネ等で形成された保持部材３８が形成されている。この保持部材３８は、先端部に係合突部３８ａが形成されている。この係合突部３８ａは、第１のアーム１５の基端部、すなわちストッパ２７の近傍の凹部３８ｂに係合することによって、収納状態が保持される。第１のアーム１５が引き出されるときには、保持部材３８がストッパ２７に押圧されて弾性変位することで、係合突部３８ａと凹部３８ｂとの係合状態が解除されることになる。
【００４１】
（２−４）肩掛けパッドの説明
以上のような第１のアーム１５の先端部には、図２−図４に示すように、肩掛けパッド部４１が取り付けられる。肩掛けパッド部４１は、第１のアーム１５の先端部に取り付けられるものであって、回動支持部材４２を介して第１のアーム１５に取り付けられる。回動支持部材４２には、ヒンジ部４３によって肩掛けパッド部４１が略９０°の範囲で回動可能に取り付けられている（図２中矢印Ｇ方向）。具体的に、図３及び図４に示すように、肩掛けパッド部４１は、第１のアーム１５と略平行となるような閉じた状態と、図２に示すように、第１のアーム１５に対して略９０°となる開いた状態となる。肩掛けパッド部４１は、モールド成型等され、回動支持部材４２にヒンジ部４３を介して取り付けられた基台部４４に弾性体等で形成されたパッド部４５が取り付けられる。パッド部４５は、肩掛けパッド部４１が開いた状態となったとき内側となる面に設けられ、操作者の肩の背中側と接し、クッションとして機能する。
【００４２】
（３）胸当て用本体部の説明
（３−１）胸当て用本体部の構成
以上のようなビデオカメラ１が取り付けられる取付用本体部１１には、カメラ取付部１３側の先端部に、胸当て用本体部５１がヒンジ部５０によって回動可能に取り付けられる。具体的に、取付用本体部１１には、カメラ取付部１３側の先端部には、図６及び図７に示すように、ヒンジ部５０を構成する第１の回動支持孔４６ａが形成された複数の第１の回動支持片４６が互いに平行に形成されている。また、胸当て用本体部５１にも、図１２及び図１３に示すように、一端部に、ヒンジ部５０を構成する第２の回動支持孔４７ａが形成された複数の第２の回動支持片４７が形成されている。取付用本体部１１と胸当て用本体部５１とは、第１の回動支持片４６と第２の回動支持片４７とを重ね、第１の回動支持孔４６ａと第２の回動支持孔４７ａとの軸線を一致させ、第１及び第２の回動支持孔４６ａ，４７ａに回動軸４８を挿通させることによって結合される。回動軸４８は、軸部がねじであり、第１及び第２の回動支持孔４６ａ，４７ａに締め付けられることで、第１の回動支持片４６と第２の回動支持片４７とを互いに圧接させ、摩擦によって胸当て用本体部５１が取付用本体部１１に対して回動しないようにする。
【００４３】
以上のように構成されたヒンジ部５０によって、取付用本体部１１に回動可能に取り付けられた胸当て用本体部５１は、取付用本体部１１に対して略９０°の範囲で図２中矢印Ｂ方向に回動可能となる。図１に示すように、支持装置１０の使用時において、胸当て用本体部５１は、取付用本体部１１に対して鋭角をなす程度に広げられ、操作者の胸にあてがわれ、操作者の胸で突っ張るようにして、ビデオカメラ１を支える。
【００４４】
以上のように、取付用本体部１１に回動可能に取り付けられる胸当て用本体部５１は、全体が略矩形箱状に形成されている。図４に示すように、胸当て用本体部５１には、閉じた状態において露出する下面に、三脚を取り付けるための取付部５２が形成されている。この胸当て用本体部５１の下面は、ビデオカメラ１が取付用本体部１１に取り付けられた状態で支持装置１０を三脚に固定する際の取付面ともなる。この取付部５２には、三脚の位置決めのボスが係合するボス穴５２ａと、三脚側の取付ネジが締め付けられるねじ穴５２ｂがボス穴の両側に設けられている。
【００４５】
（３−２）ロック機構の説明
図１２及び図１３に示すように、この胸当て用本体部５１には、閉じられた状態において、取付用本体部１１に対応する上面に、取付用本体部１１との閉じた状態をロックするロック機構５６が設けられている。ロック機構５６は、取付用本体部１１の胸当て用本体部５１と対向する下面に設けられたロック用突起５７（図６参照）と、胸当て用本体部５１内に配設されるロック部材５８と、ロック部材５８を操作するロック操作部材５９とを備えている。ロック用突起５７は、カメラ固定部１４の下面に設けられ、操作者が支持装置１０を肩に担いだ際にも肩に当たらない位置に設けられている。ロック用突起５７には、先端が先鋭で、ロック溝５７ａが周回り方向に形成されている。
【００４６】
ロック部材５８は、胸当て用本体部５１内において、図１３中矢印Ｈ方向にスライド可能に取り付けられており、スライド方向に形成されたガイド孔５８ｂに胸当て用本体部５１側のガイドねじ５８ｃを係合させて取り付けられている。このロック部材５８には、ロック用突起５７が挿入され縁部がロック溝５７ａに係合するロック孔５８ａが形成されている。このロック部材５８は、胸当て用本体部５１とロック部材５８とを接続したコイルバネ等の付勢部材６０によってロック方向となる図１３中反矢印Ｈ方向に付勢されている。ロック孔５８ａは、更に、胸当て用本体部５１の外筐を構成するモールド部品の下面に設けられた挿通孔５８ｄより外部に臨まされている。
【００４７】
ロック部材５８には、ロック操作部材５９が取り付けられ、ロック操作部材５９は、胸当て用本体部５１の側面部より外部に臨まされている。ロック操作部材５９は、図１２中矢印Ｈ方向にスライド操作されることによって、ロック部材５８を、付勢部材６０の付勢力に抗してスライドすることができる。取付用本体部１１に胸当て用本体部５１をロックしている状態において、付勢部材６０によってロック方向に付勢されたロック部材５８のロック孔５８ａの縁部には、ロック孔５８ａに挿入されたロック用突起５７のロック溝５７ａが係合している。そして、ロック操作部材５９が付勢部材６０の付勢力に抗して図１３中矢印Ｈ方向にスライドされると、ロック部材５８も同方向にスライドする。すると、ロック用突起５７のロック溝５７ａとロック孔５８ａの縁部との係合が解除される。これにより、胸当て用本体部５１は、ヒンジ部５０を介して取付用本体部１１に対して開く方向に回動することができる。
【００４８】
（３−３）第２の調整機構の説明
図１２及び図１３に示すように、胸当て用本体部５１には、胸当てとなるチェストパッド部６１が取り付けられる互いに平行な２本の第２のアーム６２，６２が引き出し可能に収納されている。また、胸当て用本体部５１は、第２のアーム６２，６２の引き出し量を所定量に規定するようにし、使い勝手の向上を図っている。各第２のアーム６２は、第１のアーム１５と同様な構成で、断面が略矩形の真っ直ぐな棒状部材であって、例えば、金属で形成されている。この胸当て用本体部５１では、先端部側から２本のアーム６２，６２を引き出し可能とし、２本の第２のアーム６２，６２の先端部に、チェストパッド部６１を設けるようにしている。上述のように、この支持装置１０では、取付用本体部１１に取り付けられたビデオカメラ１の荷重を操作者の胸で支えるようにしている。そこで、胸当て用本体部５１では、取付用本体部１１の場合の第１のアーム１５のように、１本ではなく、２本の第２のアーム６２を用いるようにして、強度の向上を図っている。
【００４９】
なお、第２のアーム６２の本数は、第１のアーム１５より強度が高いのであれば、特に限定されるものではなく、第１のアーム１５より強度の高い材料を用いることで、１本にしても良く、更に、３本以上としても良い。
【００５０】
第２のアーム６２，６２は、胸当て用本体部５１に配設されるガイド部材６３によって引き出し時のスライドがガイドされる。図１３及び図１４に示すように、ガイド部材６３は、それぞれの第２のアーム６２に対して一又は複数のガイド孔６４が形成され、この一又は複数のガイド孔６４に挿入されることによって、図１３及び図１４中Ｉ方向に直線的にスライドする。ガイド部材６３は、胸当て用本体部５１の外筐を構成するモールド部品に、例えば複数のネジ６３ａによって固定される。また、肩掛け部１２内には、ガイド壁６５が第２のアーム６２の移動範囲に応じて形成されている。第２のアーム６２は、ガイド部材６３にガイドされつつ、ガイド壁６５によってもスライドがガイドされる。
【００５１】
第２のアーム６２，６２の引き出し量を規定する第２の調整機構６６は、図１３及び図１４に示すように、第２のアーム６２，６２の引き出し口の近傍の胸当て用本体部５１の下面に設けられている。この第２の調整機構６６は、第２のアーム６２，６２の引き出し口の近傍の胸当て用本体部５１の下面に設けられる操作部材６７と、第２のアーム６２，６２の引き出し位置をロックするロック部材６８，６８とを有する。操作部材６７は、胸当て用本体部５１の下面に設けられた操作孔６９（図１２参照）より外部に臨まされ、ガイド部材６３の支軸６７ａに、図１２中矢印Ｊ方向に回動可能に支持されている。この操作部材６７の内側の面には、支軸６７ａに近接する位置に、第２のアーム６２，６２に対応する押圧部７１，７１が突出して形成されている。この押圧部７１，７１は、ロック部材６８，６８を押圧する。
【００５２】
ロック部材６８，６８は、上述したガイド部材６３に回動自在に取り付けられる。具体的に、ガイド部材６３は、ガイド孔６４，６４に挿通された第２のアーム６２，６２の一部を切欠部から外部に臨ませている。ロック部材６８，６８は、ガイド部材６３に支軸７２，７２により回動可能に支持されている。ロック部材６８，６８は、外側において、支軸７２，７２に回動支持されることで、先端側が各第２のアーム６２，６２に対して近接離間する図１３及び図１４中矢印Ｋ方向に回動可能となっている。各第２のアーム６２，６２の中程は、ガイド部材６３の切欠部より外部に臨まされた第２のアーム６２，６２と面接触し、第２のアーム６２，６２を圧接する圧接部７３となっている。更に、ロック部材６８，６８の先端部は、操作部材６７の押圧部７１，７１に押圧される被押圧部７６，７６となっている。
【００５３】
以上のような第２の調整機構６６において、操作部材６７を図１２中矢印Ｊ方向に回動し開いたときには、押圧部７１がロック部材６８の被押圧部７６，７６から離間し押圧が解除され、ロック部材６８，６８が回動自在となる。これにより、第２のアーム６２，６２は、ガイド壁６５にガイドされて図１２中矢印Ｉ方向に自由にスライドする。また、操作部材３２を閉じたときには、操作部材６７の押圧部７１，７１がロック部材６８，６８の被押圧部７６，７６を押圧し、ロック部材６８，６８の圧接部７３，７３が、ガイド部材６３の切欠部より外部に臨む第２のアーム６２，６２に圧接する。これにより、第２のアーム６２，６２は、スライド不能となり、所定の引き出し量にロックすることができる。
【００５４】
また、図１３に示すように、一方の第２のアーム６２をガイドするガイド壁６５の終端には、第２のアーム６２を収納した状態に保持する板バネ等で形成された保持部材７４が形成されている。保持部材７４は、先端部に係合突部７４ａが形成されている。この係合突部７４ａは、第１のアーム６２の基端部に、周囲に突出して形成されたストッパ７５に係合することによって、収納状態が保持される。第２のアーム６２が引き出されるときには、保持部材７４がストッパ７５に押圧されて弾性変位することで、係合突部７４ａとストッパ７５との係合状態が解除されることになる。
【００５５】
なお、第２のアーム６２，６２が最大に引き出されたときには、第２のアーム６２，６２の基端部に形成されたストッパ７５がガイド部材６３のガイド孔６４，６４の周縁に突き当たり、第２のアーム６２，６２のガイド部材６３からの抜け防止となっている。
【００５６】
（３−４）チェストパッドの説明
第２のアーム６２，６２の先端部には、図１、図２及び図１４に示すように、チェストパッド部６１が取り付けられる。チェストパッド部６１は、第２のアーム６２，６２の先端部に取り付けられるものであって、回動支持部材７７を介して第２のアーム６２，６２に取り付けられる。回動支持部材７７には、ヒンジ部によってチェストパッド部６１が略９０°の範囲で回動可能に取り付けられている。具体的に、図１４に示すように、チェストパッド部６１は、第２のアーム６２，６２と略平行となるような閉じた状態と、第２のアーム６２，６２に対して略９０°となる開いた状態となる。チェストパッド部６１は、モールド成型等され、回動支持部材７７にヒンジ部を介して取り付けられた基台部７８に弾性体等で形成されたパッド部７９が取り付けられる。パッド部７９は、操作者の胸と接する面に設けられ、クッションとして機能する。
【００５７】
（４）支持装置の使用方法
以上のように構成された支持装置１０は、次のように使用される。図３及び図４に示すように、支持装置１０は、収納時や非使用時において、取付用本体部１１と胸当て用本体部５１とが閉じられた状態となっており、小型化され、持ち運び易い状態となっている。このとき、図１２及び図１３に示すように、ロック機構５６は、ロック用突起５７（図６参照）のロック溝５７ａと、胸当て用本体部５１内に配設されるロック部材５８ロック孔５８ａとが係合している。したがって、支持装置１０は、取付用本体部１１と胸当て用本体部５１とが閉じた状態にロックされている。
【００５８】
胸当て用本体部５１を開くには、図１５に示すように、ロック操作部材５９を図１２中矢印Ｈ方向にスライド操作する。すると、ロック用突起５７のロック溝５７ａとロック孔５８ａの縁部との係合が解除される。これにより、胸当て用本体部５１は、ヒンジ部５０を介して取付用本体部１１に対して開く方向に回動可能となり、操作者は、所定量だけ胸当て用本体部５１を取付用本体部１１に対して回動操作する。
【００５９】
図２及び図６に示すように、取付用本体部１１に対して胸当て用本体部５１が開いた状態になると、取付用本体部１１のビデオカメラ１を取り付けるための取付ネジ１４ｂの操作部が外部に臨む。この状態で、図３、図４及び図１６に示すように、操作者は、位置決め用のボス１４ａを、ビデオカメラ１のカメラ本体部２の底面に設けられたシューのボス穴に係合させる。そして、取付ネジ１４ｂは、シューのねじ穴に締め付けられる。かくして、ビデオカメラ１は、カメラ固定部１４に固定される。
【００６０】
図１７に示すように、取付用本体部１１と胸当て用本体部５１とのヒンジ部５０を構成する回動軸４８は、第１及び第２の回動支持孔４６ａ，４７ａに締め付けられることで、回動量が固定される。また、第２の調整機構６６の操作部材６７を図１２中矢印Ｊ方向に開き、図１１及び図１３に示すように、押圧部７１がロック部材６８の被押圧部７６，７６から離間し押圧が解除され、ロック部材６８，６８が回動自在となる。これにより、第２のアーム６２，６２は、ガイド壁６５にガイドされて図１２中矢印Ｉ方向に自由にスライドする。操作者は、第２のアーム６２，６２の引き出し量を調整し、この後、操作部材３２を閉じる。これにより、操作部材６７の押圧部７１，７１がロック部材６８，６８の被押圧部７６，７６を押圧し、ロック部材６８，６８の圧接部７３，７３が、第２のアーム６２，６２に圧接し、所定の引き出し量にロックすることができる。
【００６１】
また、チェストパッド部６１は、第２のアーム６２，６２に対して回動支持部材７７を介して回動されることで、パッド部７９が操作者の胸と接するように調整される。
【００６２】
図１８に示すように、第１のアーム１５の長さも第１の調整機構３１によって調整することができる。図１１及び図１８に示すように、操作部材３２を図１１中矢印Ｅ方向に回動し開き、押圧部３６がロック部材３３の圧接部３３ｃから離間し押圧が解除され、ロック部材３３が図１１中矢印Ｆ方向及び反矢印Ｆ方向に回動自在となる。これにより、第１のアーム１５は、プリセット部材２２によって最大引き出し量が決められた中で自由に図１１中矢印Ａ方向にスライドする。操作者は、第１のアーム１５の引き出し量を調整し、この後、操作部材３２を閉じる。これにより、押圧部３６が図１１中矢印Ｆ方向に回動しロック部材３３の圧接部３３ｃを押圧し、ロック部材３３の圧接部３３ｃが、第１のアーム１５に圧接し、所定の引き出し量にロックすることができる。
【００６３】
また、図１９に示すように、肩掛けパッド部４１は、第１のアーム１５に対して回動支持部材４２を介して図１９中矢印Ｇ方向に回動されることで、パッド部４５が操作者の背中と接するように調整される。
【００６４】
ところで、この支持装置１０では、肩掛けパッド部４１が取り付けられる第１のアーム１５の肩掛け部１２からの最大引き出し量をプリセット機構２１により規定することができる。図１０及び図１９に示すように、先ず、プリセットネジ２８を緩めると、プリセット部材２２は、第１のアーム１５と同方向にスライド可能となる。プリセット部材２２は、ガイド片２６に沿って所定位置にスライドされ、所定位置において、プリセットネジ２８が締め付けられると、ねじ頭２８ａが被押圧部２９ａに圧接されることで、所定位置に固定される。すると、第１のアーム１５は、図９に示すように、第１のアーム１５上に延在した規定部２４に、第１のアーム１５のストッパ２７が突き当たるまでスライド可能となる。第１のアーム１５の最大引き出し量は、第１のアーム１５のストッパ２７が所定位置に固定されたプリセット部材２２の規定部２４に突き当たるまでの長さとなる。そして、第１のアーム１５は、ストッパ２７が規定部２４に突き当たるまでの間で、取付用本体部１１の肩掛け部１２からの引き出し量が上述のように第１の調整機構３１によって調整可能となる。
【００６５】
以上のような支持装置１０は、図１に示すように、肩掛け部１２から第１のアーム１５を介して肩掛けパッド部４１に亘る部分は、操作者の肩に担がれる部分となる。支持装置１０の使用時において、胸当て用本体部５１が取付用本体部１１に対して鋭角をなし、操作者の胸にあてがわれる。胸当て用本体部５１は、操作者の胸で突っ張るようにして、ビデオカメラ１を支えることになる。この支持装置１０では、ビデオカメラ１の重さを、取付用本体部１１から肩掛けパッド部４１に亘る部分が当てられた操作者の肩だけでなく、胸当て用本体部５１を介して操作者の胸でも支えるようにし、ビデオカメラ１の荷重を分散している。これにより、操作者は、ビデオカメラ１を、支持装置１０を用いて担いでも、肩が疲労することが無くなり、長時間撮影も楽に行うことができる。また、支持装置１０は、胸当て用本体部５１と肩掛けパッド部４１とで、操作者の胸を肩側から挟み込むことができ、ビデオカメラ１がふらつくことなく安定した状態で撮影を行うことができる。
【００６６】
また、この支持装置１０では、プリセット機構２１が設けられ、操作者の体型に合うように、第１のアーム１５の最大引き出し量を調整することができる。したがって、例えば、最も頻繁に支持装置１０を使用する操作者は、例えば、プリセット機構２１で第１のアーム１５の最大引き出し量を自分の体型に合うようにしておく。これにより、最も頻繁に支持装置１０を使用する操作者は、第１のアーム１５の最大に引き出したとき、自分の体型に合う状態に合うようになる。したがって、最も頻繁に支持装置１０を使用する操作者は、他人に支持装置１０を貸した後でも、第１の調整機構３１で細かな第１のアーム１５の長さ調整をする必要が無くなり、作業性の向上を図ることができる。
【００６７】
また、支持装置１０は、他人が使用するとき、プリセット機構２１を用いることなく、第１の調整機構３１だけで、第１のアーム１５の引き出し量を調整することができる。したがって、支持装置１０を持ち主から借りても、持ち主が第１のアーム１５の引き出し量を再調整する必要がなくなり、持ち主に迷惑をかけることを防止することができる。
【００６８】
ここで、参考例として、図２１（Ａ）に示すように、レンズ部３と光軸を一致させるようにしてビューファインダ４が設けられているビデオカメラ１を支持装置１０に取り付ける場合を説明する。第１のアーム１５が２本であるときには、２本の第１のアーム１５が操作者Ｏの首Ｎに当たり、ビューファインダ４を覗きにくくなる。また、図２１（Ｂ）は、取付用本体部１１のカメラ取付部１３が肩掛け部１２に対して傾いていない参考例を示し、図２１（Ｃ）は、取付用本体部１１のカメラ取付部１３が肩掛け部１２に対して傾いた本発明の適用例を示している。図２１（Ｂ）と図２１（Ｃ）とを比較すると、本発明が適用された図２１（Ｃ）の例では、カメラ取付部１３が肩掛け部１２に対して傾いている分ビューファインダ４を覗きやすくなる。また、ビデオカメラ１には、ＬＣＤと言った表示パネル６がカメラ本体部２の側面部に設けられることがある。表示パネル６が設けられたビデオカメラを支持装置１０に取り付けた場合でも、図２１（Ｃ）の例の方が表示パネル６が見やすくなる。また、本発明の適用例である図２１（Ｃ）では、カメラ取付部１３が肩掛け部１２に対して傾いており、更に、肩掛けパッド部４１を伸縮できることから、操作者の体型にかかわらず背中Ｂに肩掛けパッド部４１が点又は線接触ではなく、面接触し、使用感の向上を図ることができる。なお、図２１（Ａ）−（Ｃ）中、Ｏは操作者、Ｈは操作者の頭、Ｎは操作者の首、Ｂは操作者の背中を示す。
【００６９】
なお、この支持装置１０は、非使用時等において、胸当て用本体部５１を畳み、全体を１枚板状にし、小型化することがでる。したがって、支持装置１０は、非使用時における持ち運びが便利になる。
【００７０】
ところで、この支持装置１０では、図３，図４及び図２０に示すように、ビデオカメラ１が取付用本体部１１に取り付けられた状態で胸当て用本体部５１が折り畳まれると、そのまま三脚５に取り付けることができる。すなわち、胸当て用本体部５１が折り畳まれた状態では、図４に示すように、胸当て用本体部５１の下面に、三脚を取り付けるための取付部５２が臨んでいる。したがって、支持装置１０は、胸当て用本体部５１の取付部５２のボス穴５２ａに三脚の位置決めのボスを係合し、ねじ穴５２ｂに三脚側の取付ネジが締め付けることで、ビデオカメラ１が取付用本体部１１に固定された支持装置１０が三脚５に取り付けられることになる。このように、この支持装置１０は、ビデオカメラ１を取り付けたままの状態で、胸当て用本体部５１を畳み直ちに、三脚５に取り付けることができる。撮影者は、支持装置１０をビデオカメラ１から外すことなく、三脚５に取り付けることができ、利便性の向上を図ることができる。
【００７１】
（５）変形例
以上の例では、支持装置１０にビデオカメラ１が取り付けられる場合を説明したが、支持装置１０に取り付けられる機器としては、ビデオカメラ１の他、ディジタル／アナログの一眼レフカメラ等の光学装置であっても良い。
【符号の説明】
【００７２】
１  ビデオカメラ、２  カメラ本体部、３  レンズ部、５  三脚、６  表示パネル、１０  支持装置、１１  取付用本体部、１２  カメラ取付部、１３  カメラ取付部、１４  カメラ固定部、１４ａ  ボス、１４ｂ  取付ネジ、１５  第１のアーム、１６  ガイド部材、１６ａ  ネジ、１７  ガイド壁、２１  プリセット機構、２２  プリセット部材、２３  ガイド溝、２４  規定部、２５  ねじ穴、２６  ガイド片、２７  ストッパ、２８  プリセットネジ、２８ａ  ねじ頭、２９  操作溝、２９ａ  被押圧部、３１  第１の調整機構、３２  操作部材、３３  ロック部材、３３ａ  軸穴、３３ｂ  軸部、３３ｃ  圧接部、３４  操作孔、３５  支軸、３６  押圧部、３７  ガイド孔、３７ａ  切欠部、３８  保持部材、３８ａ  係合突部、３８ｂ  凹部、４１  肩掛けパッド部、４２  回動支持部材、３  ヒンジ部、４４  基台部、４５  パッド部、４６  第１の回動支持片、４６ａ  第１の回動支持孔、４７  第２の回動支持片、４７ａ  第２の回動支持孔、４８  回動軸、５０  ヒンジ部、５１  胸当て用本体部、５２  取付部、５２ａ  ボス穴、５２ｂ  ねじ穴、５６  ロック機構、５７  ロック用突起、５７ａ  ロック溝、５８  ロック部材、５８ａ  ロック孔、５８ｂ  ガイド孔、５８ｄ  挿通孔、５９  ロック操作部材、６０  付勢部材、６１  チェストパッド部、６２  第２のアーム、６３  ガイド部材、６３ａ  ネジ、６４  ガイド孔、６５  ガイド壁、６６  第２の調整機構、６７  操作部材、６７ａ  支軸、６８  ロック部材、６９  操作孔、７１  押圧部、７２  支軸、７３  圧接部、７４  保持部材、７４ａ  係合突部、７５  ストッパ、７６  被押圧部、７７  回動支持部材、７８  基台部、７９  パッド部
【図１】
2011107398.tif 000003
【図２】
2011107398.tif 000004
【図３】
2011107398.tif 000005
【図４】
2011107398.tif 000006
【図５】
2011107398.tif 000007
【図６】
2011107398.tif 000008
【図７】
2011107398.tif 000009
【図８】
2011107398.tif 000010
【図９】
2011107398.tif 000011
【図１０】
2011107398.tif 000012
【図１１】
2011107398.tif 000013
【図１２】
2011107398.tif 000014
【図１３】
2011107398.tif 000015
【図１４】
2011107398.tif 000016
【図１５】
2011107398.tif 000017
【図１６】
2011107398.tif 000018
【図１７】
2011107398.tif 000019
【図１８】
2011107398.tif 000020
【図１９】
2011107398.tif 000021
【図２０】
2011107398.tif 000022
【図２１】
2011107398.tif 000023